(57)【要約】      （修正有）【課題】防犯効果を低減させることなく、電子鍵を携帯するのを忘れたユーザが居住空間内に入れるようにする。【解決手段】第１通信部２１０は、宅内機器１００と接続され、宅内機器１００から宅内機器１００のログ情報を入力する。第２通信部２２０は、施錠部５００からドアの施錠／解錠状態を示す施錠情報を入力する。第３通信部２３０は、ドアフォン４００の呼出ボタン４０１が押されたことを示す押下情報を、ドアフォンモニタ３００を介して入力する。制御部２４０は、施錠情報を用いてドアが施錠状態になったと判断してから所定時間内にドアフォンモニタ３００から押下情報が入力された場合であって、ログ情報を用いて宅内機器１００がオン状態であると判断した場合、施錠部５００に対して解錠コマンドを出力する。【選択図】図３
2015065631.tif 000002
【特許請求の範囲】
【請求項１】
宅内機器と接続され前記宅内機器から前記宅内機器のログ情報を入力する第１通信部と、
前記宅内機器が設置された居住空間に設けられたドアであって前記ドアの閉状態を検知して前記ドアを施錠する電気錠が設けられたドアの施錠部と接続され、前記施錠部から前記ドアの施錠／解錠状態を示す施錠情報を入力する第２通信部と、
前記宅内機器が設置された居住空間に設けられたドアフォンモニタと接続され、前記ドアフォンモニタに接続され且つ前記居住空間外部に設置されたドアフォンの呼出ボタンが押されたことを示す押下情報を、前記ドアフォンモニタを介して入力する第３通信部と、
前記施錠情報を用いて前記ドアが施錠状態になったことを判断する制御部と、を具備し、
前記制御部は、
前記施錠情報を用いて前記ドアが施錠状態になったと判断してから所定時間内に前記ドアフォンモニタから前記押下情報を入力した場合であって、前記ログ情報を用いて前記宅内機器がオン状態であると判断した場合、前記第２通信部を介して前記ドアの施錠部に対して前記ドアを解錠する旨の第１制御信号を出力する、
管理装置。
【請求項２】
前記ドアフォンモニタは、
前記ドアフォンの呼出ボタンの押下により、前記呼出ボタンを押下した者を自動的に録画する録画部を有する、
請求項１記載の管理装置。
【請求項３】
前記制御部は、
前記所定時間内に前記ドアフォンモニタから前記押下情報をＮ回入力した場合、前記ログ情報を用いて前記宅内機器がオン状態であるか否かを判断する、
請求項１から請求項２のいずれか一に記載の管理装置。
【請求項４】
前記第１通信部は、前記ドアの外側に設けられた外部照明器具と接続され、
前記制御部は、前記所定時間内に前記ドアフォンモニタから前記押下情報をＭ回入力した場合、前記外部照明器具をオンする第２制御信号を前記外部照明器具に送信する、
請求項３記載の管理装置。
【請求項５】
前記ドアフォンモニタは、所定音に対応する音データを格納するメモリと、前記所定音を出力する出力部と、を有し、
前記制御部は、前記所定時間内に前記ドアフォンモニタから前記押下情報をＭ回入力した場合、前記ドアフォンに前記所定音を出力させる第３制御信号を、前記ドアフォンモニタに送信する、
請求項３記載の管理装置。
【請求項６】
前記Ｎ回は、前記Ｍ回より多い、
請求項４から請求項５のいずれか一に記載の管理装置。
【請求項７】
前記第１通信部は、前記ドアの外側に設けられた外部照明器具と接続され、
前記制御部は、前記所定時間を経過する一定時間前に前記外部照明器具をオンする第４制御信号を前記外部照明器具に送信する、
請求項１から請求項３のいずれか一に記載の管理装置。
【請求項８】
前記宅内機器は、照明器具、エアコン又はテレビのいずれか一を含む、
請求項１から請求項７のいずれか一に記載の管理装置。
【請求項９】
前記宅内機器は、一日中電源がオン状態である使用が常態である宅内機器を含まない、
請求項１から請求項８のいずれか一に記載の管理装置。
【請求項１０】
前記一日中電源がオン状態である使用が常態である宅内機器は、冷蔵庫を含む、
請求項９に記載の管理装置。
【請求項１１】
前記宅内機器は、複数種類の宅内機器を含み、
前記第１通信部は、前記複数種類の宅内機器の各々から対応するログ情報を入力し、
前記制御部は、
前記施錠情報を用いて前記ドアが施錠状態になったと判断してから所定時間内に前記ドアフォンから前記押下情報を入力した場合であって、前記複数のログ情報を用いて、前記複数種類の宅内機器の中の少なくもといずれか一種の宅内機器がオン状態であると判断した場合、前記第２通信部を介して前記第１制御信号を出力する、
請求項１から請求項７のいずれか一に記載の管理装置。
【請求項１２】
前記複数種類の宅内機器は、照明器具、エアコン及びテレビの中のいずれか２つ以上を含む、
請求項１１に記載の管理装置。
【請求項１３】
前記宅内機器は、一日中電源がオン状態である使用が常態である宅内機器を含まない、
請求項１１から請求項１２のいずれか一に記載の管理装置。
【請求項１４】
前記一日中電源がオン状態である使用が常態である宅内機器は、冷蔵庫を含む、
請求項１３に記載の管理装置。
【請求項１５】
宅内機器と接続され前記宅内機器から前記宅内機器のログ情報を入力する第１通信部と、
前記宅内機器が設置された居住空間に設けられたドアの閉状態の検知により前記ドアを施錠する電気錠が設けられた施錠部と、前記居住空間に設けられたドアフォンモニタを介して接続された第２通信部であって、前記ドアフォンモニタを介して前記施錠部から前記ドアの施錠／解錠状態を示す施錠情報を入力する第２通信部と、
前記施錠情報を用いて前記ドアが施錠状態になったことを判断する制御部と、を具備し、
前記第２通信部は、前記居住空間外部に設置されたドアフォンと前記ドアフォンモニタを介して接続され、前記ドアフォンの呼出ボタンが押されたことを示す押下情報を、前記ドアフォンモニタを介して入力し、
前記制御部は、
前記施錠情報を用いて前記ドアが施錠状態になってから所定時間内に前記ドアフォンモニタから前記押下情報を入力した場合であって、前記ログ情報を用いて前記宅内機器がオン状態であると判断した場合、前記第２通信部を介して前記ドアの施錠部に対して前記ドアを解錠する旨の第１制御信号を出力する、
管理装置。
【請求項１６】
宅内機器と接続され前記宅内機器から前記宅内機器のログ情報を入力する第１通信部と、
前記宅内機器が設置された居住空間に設けられたドアであって前記ドアを電気的に施錠する電気錠が設けられたドアの施錠部と接続された第２通信部と、
前記電気錠により前記ドアを施錠させる制御信号を前記施錠部に、前記第２通信部を介して送信させる制御部と、を具備し、
前記第１通信部は、前記ドアに設けられた前記ドアの開閉状態を検知する開閉センサから前記ドアの開閉状態を示す開閉情報を入力し、
前記制御部は、
前記開閉情報を用いて前記ドアが閉状態になったと判断した場合、前記ログ情報を用いて前記宅内機器がオン状態であるか否かを判断し、
前記ドアが閉状態になった場合に前記宅内機器がオフ状態であると判断した場合、前記制御信号を前記施錠部に送信し、
前記ドアが閉状態になった場合に前記宅内機器がオン状態であると判断した場合、前記閉状態になったと判断してから一定期間経過後に前記制御信号を前記施錠部に送信する、
管理装置。
【発明の詳細な説明】
【技術分野】
【０００１】
本開示は、ドアが閉状態となることにより自動的に前記ドアを施錠するオートロック機構を設けたドアの施錠部を制御する管理装置に関する。
【背景技術】
【０００２】
かかる技術分野において特許文献１は、電気ロック機構を備えたカード式自動錠装置に関するもので、ホテルなどの室外へ出て扉を閉じたとき、一定時間前記電気ロック機構を解錠し、その後に施錠状態に復帰させる技術を開示する。
【先行技術文献】
【特許文献】
【０００３】
【特許文献１】特開昭５８−５４１６８号公報
【発明の概要】
【発明が解決しようとする課題】
【０００４】
しかし、かかる従来の技術では、前記電気ロック機構によって本来もたらされる防犯効果を低減させないように、さらなる改善が必要であった。
【課題を解決するための手段】
【０００５】
上記課題を解決するために、本開示の一態様である管理装置は、
宅内機器と接続され前記宅内機器から前記宅内機器のログ情報を入力する第１通信部と、
前記宅内機器が設置された居住空間に設けられたドアであって前記ドアの閉状態を検知して前記ドアを施錠する電気錠が設けられたドアの施錠部と接続され、前記施錠部から前記ドアの施錠／解錠状態を示す施錠情報を入力する第２通信部と、
前記宅内機器が設置された居住空間に設けられたドアフォンモニタと接続され、前記ドアフォンモニタに接続され且つ前記居住空間外部に設置されたドアフォンの呼出ボタンが押されたことを示す押下情報を、前記ドアフォンモニタを介して入力する第３通信部と、
前記施錠情報を用いて前記ドアが施錠状態になったことを判断する制御部と、を具備し、
前記制御部は、
前記施錠情報を用いて前記ドアが施錠状態になったと判断しから所定時間内に前記ドアフォンモニタから前記押下情報を入力した場合であって、前記ログ情報を用いて前記宅内機器がオン状態であると判断した場合、前記第２通信部を介して前記ドアの施錠部に対して前記ドアを解錠する旨の第１制御信号を出力する、
ものである。
【発明の効果】
【０００６】
上記態様により、前記電気ロック機構によって本来もたらされる防犯効果を低減させないように、さらなる改善ができた。
【図面の簡単な説明】
【０００７】
【図１】実施の形態１による管理装置が適用された管理システムの全体構成の一例を示す図である。
【図２】実施の形態１による管理装置のハードウェア構成の一例を示すブロック図である。
【図３】実施の形態１による管理装置の機能構成の一例を示すブロック図である。
【図４】実施の形態１による管理システムの動作の概要の一例を示すシーケンス図である。
【図５】実施の形態１による管理システムの動作の概要の一例を示すシーケンス図である。
【図６】ロック検出処理の一例を示すフローチャートである。
【図７】稼働状況検出処理の一例を示すフローチャートである。
【図８】呼出信号解釈処理の一例を示すフローチャートである。
【図９】実施の形態２による管理装置が適用された管理システムの全体構成の一例を示す図である。
【図１０】実施の形態２による管理装置の機能構成の一例を示すブロック図である。
【図１１】実施の形態２による管理システムの動作の概要の一例を示すシーケンス図である。
【図１２】実施の形態３における呼出信号解釈処理の一例を示すフローチャートである。
【図１３】実施の形態４による管理装置が適用された管理システムの全体構成の一例を示す図である。
【図１４】実施の形態４による管理装置の機能構成の一例を示すブロック図である。
【図１５】実施の形態４における稼働状況検出処理の一例を示すフローチャートである。
【図１６】実施の形態５による管理装置が適用された管理システムの全体構成の一例を示す図である。
【図１７】実施の形態５による管理装置の機能構成の一例を示すブロック図である。
【図１８】実施の形態５の変形例による管理装置の機能構成の一例を示すブロック図である。
【図１９】実施の形態５による呼出信号解釈処理の一例を示すフローチャートである。
【図２０】実施の形態６による管理装置の機能構成の一例を示すブロック図である。
【図２１】実施の形態６によるロック検出処理の一例を示すフローチャートである。
【図２２】実施の形態７による管理装置が適用された管理システムの全体構成の一例を示す図である。
【図２３】実施の形態７による管理装置の機能構成の一例を示すブロック図である。
【図２４】実施の形態７による管理システムの動作の概要の一例を示すシーケンス図である。
【図２５】実施の形態７による管理装置２００のメインルーチンの一例を示すフローチャートである。
【発明を実施するための形態】
【０００８】
（本開示に係る一態様を発明するに至った経緯）
まず、本開示に係る一態様の着眼点について説明する。
【０００９】
上記のように、ドアには、前記ドアが閉状態となることにより自動的に前記ドアを施錠するオートロック機構を設けたものがある。前記オートロック機構は、例えば、前記オートロック機構に対応する電子鍵によって電気的に前記ドアの施錠を解除する仕組みになっている。前記オートロック機構は、前記ドアに施錠を忘れて外出した場合、第三者の家屋内への侵入を防止し、防犯に役立つ。
【００１０】
しかし、例えば、前記家屋のユーザが家の周囲に出てまた直ぐに前記家屋に戻る場合など、前記ユーザは前記電子鍵を携帯しないこともある。このように、前記ユーザが前記電子鍵を携帯せず前記ドアの外に出た場合、前記ドアが閉状態となれば前記オートロック機構が作動して前記ドアは施錠される。即ち、前記ユーザの外出の態様又は程度に関わらず、記ドアが閉状態となれば一律に前記オートロック機構が作動して前記ドアは施錠されるので、前記ユーザは前記家屋に入れなくなる場合も生じ得る。
【００１１】
このように、前記オートロック機構では、防犯に役立つものの、一方で、前記ユーザの外出の態様又は程度に関わらず一律に、前記電子鍵を携帯しない場合には前記ユーザは前記家屋に入れなくなるという問題もある。
【００１２】
かかる問題を解決するため、上記のように、特許文献１記載の技術は、電気ロック機構を備えたカード式自動錠装置に関するもので、ホテルなどの室外へ出て扉を閉じたとき、一定時間前記電気ロック機構を解錠し、その後に施錠状態に復帰させるようにしている。
【００１３】
しかし、かかる従来技術では、以下のような課題がある。
【００１４】
即ち、特許文献１では、前記扉が閉状態となると、前記室内のユーザの在／不在に関わらず、一律に一定時間前記電気ロック機構を解錠するものである。そのため、例えば、前記ユーザが前記電気ロック機構に対応する鍵を携帯して外出する場合であっても、不要に一定時間前記電気ロック機構は解錠された状態となる。これでは、前記扉を閉じると前記電気ロック機構を施錠させる場合に比べて防犯効果が低減する。同様に、前記ユーザが外出から戻って、前記扉を開けて閉じた場合、前記ユーザが室内に居るにもかかわらず、不要に一定時間前記電気ロック機構は解錠された状態となる。これでは、前記扉を閉じると前記電気ロック機構を施錠させる場合に比べて防犯効果が低減する。
【００１５】
このように、特許文献１では、前記扉が閉状態となると、前記室内のユーザの在／不在に関わらず、一律に一定時間前記電気ロック機構を解錠するため、前記電気ロック機構によって本来もたらされる防犯効果を低減させるという問題がある。
【００１６】
そこで、以上の考察により、本発明者らは、以下の発明の各態様を想到するに至った。
【００１７】
即ち、本開示の一態様は、
宅内機器と接続され前記宅内機器から前記宅内機器のログ情報を入力する第１通信部と、
前記宅内機器が設置された居住空間に設けられたドアであって前記ドアの閉状態を検知して前記ドアを施錠する電気錠が設けられたドアの施錠部と接続され、前記施錠部から前記ドアの施錠／解錠状態を示す施錠情報を入力する第２通信部と、
前記宅内機器が設置された居住空間に設けられたドアフォンモニタと接続され、前記ドアフォンモニタに接続され且つ前記居住空間外部に設置されたドアフォンの呼出ボタンが押されたことを示す押下情報を、前記ドアフォンモニタを介して入力する第３通信部と、
前記施錠情報を用いて前記ドアが施錠状態になったことを判断する制御部と、を具備し、
前記制御部は、
前記施錠情報を用いて前記ドアが施錠状態になったと判断しから所定時間内に前記ドアフォンモニタから前記押下情報を入力した場合であって、前記ログ情報を用いて前記宅内機器がオン状態であると判断した場合、前記第２通信部を介して前記ドアの施錠部に対して前記ドアを解錠する旨の第１制御信号を出力する、
ものである。
【００１８】
上記態様によると、
前記ドアが閉状態になると自動的に前記ドアを施錠する電気錠が前記ドアの施錠部に設けられている。そのため、前記居住空間のユーザが前記ドアを施錠し忘れて外出した場合でも、前記居住空間への前記ユーザ以外の他者の侵入を防止し、住環境の安全を確保できる。従って、前記扉が閉状態となっても一律に一定時間前記電気錠を解錠する特許文献１とは異なり、前記電気錠によって本来もたらされる防犯効果を低減させることはない。
【００１９】
一方で、本態様では、前記ドアフォンの呼出ボタンを、前記電気錠による前記ドアの施錠を解除するために流用する。そのため、前記電気錠に対応する電子鍵を前記ユーザが携帯し忘れた場合であっても、前記呼出ボタンの押下というユーザの行為によって前記電気錠による前記ドアの施錠を解除できる。この点、前記扉が閉状態となっても一律に一定時間前記電気錠を解錠する特許文献１とは異なり、前記ドアが閉状態になると自動的に前記ドアを施錠するという前提を踏まえた上で、前記電気錠に対応する電子鍵を前記ユーザが携帯し忘れた場合であっても、必要に応じて前記ドアの施錠を解除できるようにしている。また、前記のように、前記ドアフォンという既存物を流用するので、前記電気錠による前記ドアの施錠を解除するため別途新たな部材を設ける必要がない。そのため、前記電気錠による前記ドアの施錠を解除するための仕組みを簡易に出来る。
【００２０】
また、前記ドアフォンの呼出ボタンを、前記電気錠による前記ドアの施錠を解除するために単に流用するものではなく、本態様では、前記宅内機器がオン状態であるか否かを判断した上で前記ドアの施錠を解除するか否かを判断している。即ち、前記宅内機器がオン状態である場合、前記宅内機器が設置された居住空間にユーザが在宅中であると考えられる。
【００２１】
この場合、一旦前記居住空間外にユーザが出てもまた前記居住空間内に戻る、と判断できる。そこで、本態様では、前記ユーザが前記電気錠に用いる電子鍵を携帯し忘れていても、前記ユーザは前記ドアを開けて前記居住空間の中に入ることができるようにした。このように、本態様では、前記居住空間内のユーザの在／不在に基づいて前記ドアの施錠を解除するか否か判断している。前記居住空間内のユーザの在／不在の判断は、前記宅内機器のオン／オフ状態を用いて行うので、簡易でより確実性が高い手段によって前記ユーザの在／不在を判断できる。
【００２２】
以上のように、本態様では、住環境の安全を確保するという前記電気錠の利点を損なうことなく、前記電気錠に用いる電子鍵を携帯しない場合であっても、必要に応じて簡易な手段によって前記ユーザが前記居住空間内に入れるようにすることが出来る。
【００２３】
また、上記態様では、例えば、
前記ドアフォンモニタは、
前記呼出ボタンの押下により、前記呼出ボタンを押下した者を自動的に録画する録画部を有していてもよい。
【００２４】
前記ドアの施錠を解除するために、前記ドアフォンに設けられた呼出ボタンを押下することは、前記呼出ボタンの本来の用途ではない。そのため、前記呼出ボタンの押下により前記ドアの施錠を解除できることを知らなければ、前記ドアの施錠を解除できないため、前記呼出ボタンを前記ドアの施錠を解除するために流用する場合であっても、住環境の安全を確保できる。
【００２５】
加えて、前記ドアフォンモニタは、前記呼出ボタンの押下により、前記呼出ボタンを押下した者を自動的に録画する録画部を設けている場合、前記ユーザ以外の他者が、前記呼出ボタンを押下して前記ドアの施錠を解除すると、前記ユーザ以外の他者は前記録画部によって録画されてしまう。そのため、仮に前記ユーザ以外の他者が、前記呼出ボタンの押下により前記ドアの施錠を解除した場合、誰が前記居住空間の内部に侵入したかを確認できる。
【００２６】
その結果、前記ドアフォンに設けられた呼出ボタンを、前記電気錠による前記ドアの施錠を解除するために流用した場合であっても、前記呼出ボタンを押下した者が自動的に録画されるので、前記呼出ボタンを押下して前記ドアを解錠することに対して抑止効果が働き、防犯効果を向上させることができる。
【００２７】
また、上記態様において、例えば、
前記所定時間内に前記ドアフォンから前記押下情報をＮ回入力した場合、前記ログ情報を用いて前記宅内機器がオン状態であるか否かを判断するようにしてもよい。
【００２８】
この場合、前記ユーザは、前記呼出ボタンを長押しすることで、前記施錠部を解錠できる。このように、前記ドアフォンの呼出ボタンを、前記施錠部を解錠するために流用した場合であっても、前記呼出ボタンの通常の押下方法と異なる押下方法にて前記施錠部を解錠することで、防犯効果を維持しつつ、前記電気錠に用いる電子鍵を携帯しない場合であっても、必要に応じて簡易な手段によって前記ユーザが前記居住空間内に入れるようにすることが出来る。ドアフォンは、呼出ボタンが押されると周期的に押下情報を出力する構成をとるのが一般的である。よって、本態様では、呼出ボタンが長押しされた場合、ドアフォンからの押下情報の出力回数をＮ回と表現している。
【００２９】
また、上記態様では、例えば、
前記第１通信部は、前記ドアの外側に設けられた外部照明器具と接続され、
前記制御部は、前記所定時間内に前記ドアフォンモニタから前記押下情報をＭ回入力した場合、前記外部照明器具をオンする第２制御信号を前記外部照明器具に送信するようにしてもよい。
【００３０】
上記態様によれば、前記呼出ボタンを長押しすることで、前記施錠部は解錠できる。その際に、前記外部照明器具（例えば、玄関の照明）が点灯する。前記呼出ボタンを押下した者が前記ユーザであれば、前記外部照明器具が点灯することを知っている。一方、前記呼出ボタンを押下した者が前記ユーザ以外の他者の場合、前記呼出ボタンを長押しすることで、前記外部照明器具が点灯することを知らない。そのため、前記外部照明器具の突然の点灯は、前記ユーザ以外の他者が、前記呼出ボタンを長押して前記施錠部を解錠することに対して、抑止効果となる。これにより、防犯効果を向上させることができる。
【００３１】
また、上記態様では、例えば、
前記ドアフォンモニタは、所定音に対応する音データを格納するメモリと、前記所定音を出力する出力部と、を有し、
前記制御部は、前記所定時間内に前記ドアフォンモニタから前記押下情報をＭ回入力した場合、前記ドアフォンに前記所定音を出力させる第３制御信号を、前記ドアフォンモニタに送信するようにしてもよい。
【００３２】
上記態様によれば、前記呼出ボタンが長押しされると、前記施錠部が解錠される。その際に、前記ドアフォンから音が鳴る。前記呼出ボタンを押下した者が前記ユーザであれば、前記ドアフォンから音が鳴ることを知っている。一方、前記呼出ボタンを押下した者が前記ユーザ以外の他者の場合、前記呼出ボタンを長押しするすることで、前記ドアフォンから音が鳴ることを知らない。そのため、前記ドアフォンから突然の音が鳴ることは、前記ユーザ以外の他者が、前記呼出ボタンを長押して前記施錠部を解錠することに対して、抑止効果となる。これにより、防犯効果を向上させることができる。
【００３３】
また、上記態様では、例えば、
前記Ｎ回は、前記Ｍ回より多くしてもよい。
【００３４】
この場合、前記ドアが解錠されるよりも前に、前記外部照明器具が点灯し、又は、前記ドアフォンから音が鳴る。そのため、前記ユーザ以外の他者は、前記外部照明器具が点灯し、又は、前記ドアフォンから音が鳴った以降まで、前記呼出ボタンを長押しなければ、前記施錠部を解錠できない。その結果、前記ユーザ以外の他者が、前記呼出ボタンを長押して前記施錠部を解錠することに対して、更なる抑止効果を高めて、防犯効果を一層向上させることができる。
【００３５】
また、上記態様では、例えば、
前記第１通信部は、前記ドアの外側に設けられた外部照明と接続され、
前記制御部は、前記所定時間を経過する一定時間前に前記外部照明器具をオンする第４制御信号を前記外部照明器具に送信するようにしてよい。
【００３６】
この場合、前記ユーザは、前記外部照明器具の点灯により、前記所定時間の経過が間近であることを知ることが出来る。そのため、前記所定期間が経過して前記呼出ボタンを押下しても前記施錠部を解錠することが出来ず、前記居住空間内に入れないことを防止できる。
【００３７】
また、上記態様では、例えば、
前記宅内機器は、照明器具、エアコン又はテレビのいずれか一を含むようにしてもよい。
【００３８】
また、上記態様では、例えば、
前記宅内機器は、一日中電源がオン状態である使用が常態である宅内機器を含まないようにしてもよい。
【００３９】
一日中電源がオン状態である使用が常態である宅内機器を用いた場合、その種類の宅内機器の電源のオン／オフ状態では、前記居住空間内のユーザの在／不在の判断をすることは出来ない。従って、前記宅内機器は、一日中電源がオン状態である使用が常態である宅内機器を含まないようにしてもよい。
【００４０】
また、上記態様では、例えば、
前記一日中電源がオン状態である使用が常態である宅内機器は、冷蔵庫を含むようにしてもよい。
【００４１】
冷蔵庫は、常時、電源がオン状態であることが一般的な使用態様であるため、本態様では、冷蔵庫をオン／オフの判断対象から除外している。
【００４２】
また、上記態様では、例えば、
前記宅内機器は、複数種類の宅内機器を含み、
前記第１通信部は、前記複数種類の宅内機器の各々から対応するログ情報を入力し、
前記制御部は、
前記施錠情報を用いて前記ドアが施錠状態になったと判断してから所定時間内に前記ドアフォンから前記押下情報を入力した場合であって、前記複数のログ情報を用いて、前記複数種類の宅内機器の中の少なくもといずれか一種の宅内機器がオン状態であると判断した場合、前記第２通信部を介して前記第１制御信号を出力するようにしてもよい。
【００４３】
この場合、例えば、前記複数種類の宅内機器の中の一種の宅内機器が照明器具である場合、日中であれば前記照明器具の電源がオン状態でなくても、前記ユーザが在宅であることもある。また、例えば、前記複数種類の宅内機器の中の一種の宅内機器がテレビである場合、前記前記ユーザが在宅中であっても、前記テレビを見ていないこともある。また、例えば、前記複数種類の宅内機器の中の一種の宅内機器がエアコンである場合、季節によっては前記ユーザが在宅中であっても、前記エアコンを使用していないこともある。
【００４４】
本態様によれば、上記場合においても、前記複数種類の宅内機器の中の少なくもといずれか一種の宅内機器がオン状態であるか否かに基づいて、前記ユーザの在／不在を判断している。そのため、前記ユーザが在宅中であっても、誤って前記ユーザが不在と判断することを防止できる。その結果、前記ユーザが前記電気錠に用いる電子鍵を携帯し忘れために、前記ユーザが前記居住空間の中に入ることができないということを防止できる。
【００４５】
また、上記態様では、例えば、
前記複数種類の宅内機器は、照明器具、エアコン、及びテレビの中のいずれか２つ以上を含むようにしてもよい。
【００４６】
また、上記態様では、例えば、
前記宅内機器は、一日中電源がオン状態である使用が常態である宅内機器を含まないようにしてもよい。
【００４７】
一日中電源がオン状態である使用が常態である宅内機器を用いた場合、その種類の宅内機器の電源のオン／オフ状態では、前記居住空間内のユーザの在／不在の判断をすることは出来ない。従って、前記宅内機器は、一日中電源がオン状態である使用が常態である宅内機器を含まないようにしてもよい。
【００４８】
また、上記態様では、例えば、
前記一日中電源がオン状態である使用が常態である宅内機器は、冷蔵庫を含むようにしてもよい。
【００４９】
本開示の他の態様は、
宅内機器と接続され前記宅内機器から前記宅内機器のログ情報を入力する第１通信部と、
前記宅内機器が設置された居住空間に設けられたドアの閉状態の検知により前記ドアを施錠する電気錠が設けられた施錠部と、前記居住空間に設けられたドアフォンモニタを介して接続された第２通信部であって、前記ドアフォンモニタを介して前記施錠部から前記ドアの施錠／解錠状態を示す施錠情報を入力する第２通信部と、
前記施錠情報を用いて前記ドアが施錠状態になったことを判断する制御部と、を具備し、
前記第２通信部は、前記居住空間外部に設置されたドアフォンと前記ドアフォンモニタを介して接続され、前記ドアフォンの呼出ボタンが押されたことを示す押下情報を、前記ドアフォンモニタを介して入力し、
前記制御部は、
前記施錠情報を用いて前記ドアが施錠状態になってから所定時間内に前記ドアフォンモニタから前記押下情報を入力した場合であって、前記ログ情報を用いて前記宅内機器がオン状態であると判断した場合、前記第２通信部を介して前記ドアの施錠部に対して前記ドアを解錠する旨の第１制御信号を出力する、
ものである。
【００５０】
上記他の態様においては、前記第２通信部は、前記宅内機器が設置された居住空間に設けられたドアフォンモニタと接続されている。前記ドアフォンモニタは、前記宅内機器が設置された居住空間に設けられたドアであって前記ドアの閉状態の検知により前記ドアを施錠する電気錠が設けられたドアの施錠部と接続されている。
【００５１】
このような構成の場合、前記第２通信部を介して、記施錠部から前記ドアの施錠／解錠状態を示す施錠情報を入力し、また、ドアフォンの呼出ボタンが押されたことを示す押下情報を、入力する態様でもよい。
【００５２】
本開示の他の態様は、
宅内機器と接続され前記宅内機器から前記宅内機器のログ情報を入力する第１通信部と、
前記宅内機器が設置された居住空間に設けられたドアであって前記ドアを電気的に施錠する電気錠が設けられたドアの施錠部と接続された第２通信部と、
前記電気錠により前記ドアを施錠させる制御信号を前記施錠部に、前記第２通信部を介して送信させる制御部と、を具備し、
前記第１通信部は、前記ドアに設けられた前記ドアの開閉状態を検知する開閉センサから前記ドアの開閉状態を示す開閉情報を入力し、
前記制御部は、
前記開閉情報を用いて前記ドアが閉状態になったと判断した場合、前記ログ情報を用いて前記宅内機器がオン状態であるか否かを判断し、
前記ドアが閉状態になった場合に前記宅内機器がオフ状態であると判断した場合、前記制御信号を前記施錠部に送信し、
前記ドアが閉状態になった場合に前記宅内機器がオン状態であると判断した場合、前記閉状態になったと判断してから一定期間経過後に前記制御信号を前記施錠部に送信する、
ものである。
【００５３】
本態様によると、
前記ドアを電気的に施錠する電気錠が前記ドアの施錠部に設けられている。そして、前記ドアが閉状態になった場合、前記宅内機器がオン状態であるか否かを判断している。
【００５４】
これにより、前記宅内機器がオフ状態の場合に前記ドアが閉状態になると、前記電気錠により前記施錠部を施錠させている。即ち、前記宅内機器がオフの場合は前記居住空間のユーザは外出すると判断できる。この場合には、前記ドアが閉状態になると、前記電気錠により前記施錠部を施錠させている。そのため、前記居住空間のユーザが前記ドアを施錠し忘れて外出した場合でも、前記居住空間への前記ユーザ以外の他者の侵入を防止し、住環境の安全を確保できる。この点、前記扉が閉状態となっても一律に一定時間前記電気錠を解錠する特許文献１とは異なり、前記電気錠によって本来もたらされる防犯効果を低減させることはない。
【００５５】
一方で、前記宅内機器がオン状態の場合、前記ドアが閉状態になってから一定期間経過後に前記電気錠により前記施錠部を施錠させている。即ち、前記宅内機器がオンの場合、前記居住空間のユーザは在宅中であって、一時的に前記居住空間外に出て、すぐに前記居住空間内に戻る可能性が高いと判断できる。この場合には、前記ドアが閉状態になってから一定期間経過後に前記電気錠により前記施錠部を施錠させている。そのため、前記居住空間のユーザが前記電気錠に用いる電子鍵を携帯せずに一時的に前記居住空間の外に出た場合であっても、前記ユーザは前記居住空間の内部に入ることが出来る。この点、前記扉が閉状態となっても一律に一定時間前記電気錠を解錠する特許文献１とは異なり、必要に応じて前記ドアが閉状態になってから一定期間は前記施錠部を解錠状態とする。即ち、本態様では、前記居住空間内のユーザの在／不在に基づいて、前記ドアが閉状態になってから一定期間前記施錠部を解錠状態とするか否か判断している。前記居住空間内のユーザの在／不在の判断は、前記宅内機器のオン／オフ状態を用いて行うので、簡易で確実性が高い手段によって前記ユーザの在／不在を判断できる。
【００５６】
このように、本態様では、住環境の安全を確保するという前記電気錠の利点を損なうことなく、前記ユーザの在／不在を考慮した上で、前記電気錠に用いる電子鍵を携帯しない場合であっても、簡易な手段によって前記ユーザが前記居住空間の内部に入れるようにすることが出来る。
【００５７】
（実施の形態１）
図１は、実施の形態１による管理装置が適用された管理システムの全体構成の一例を示す図である。管理システムは、宅内機器１００、管理装置２００、ドアフォンモニタ３００、ドアフォン４００、及び施錠部５００を備える。
【００５８】
図１において、宅内機器１００及び管理装置２００は、通信路Ｌ１を介して相互に通信可能に接続されている。また、管理装置２００及びドアフォンモニタ３００は通信路Ｌ２を介して相互に通信可能に接続されている。また、管理装置２００及び施錠部５００は通信路Ｌ３を介して相互に通信可能に接続されている。また、ドアフォンモニタ３００及びドアフォン４００は通信路Ｌ４を介して相互に通信可能に接続されている。ここで、通信路Ｌ１〜Ｌ４としては、無線の通信路が採用されてもよいし、有線の通信路が採用されてもよい。
【００５９】
宅内機器１００は、居住空間１０内に設置された電気機器であり、図１の例では照明器具が示されている。但し、これは一例にすぎず、宅内機器１００としては、エアコン、洗濯機、又は電子レンジといった白物家電や、テレビ、録画装置、オーディオ機器等の黒物家電が採用されてもよい。
【００６０】
ここで、居住空間１０としては、一戸建ての住宅であれば家屋内の空間が該当し、マンションや団地等の集合住宅であれば、１つの住戸内の空間が該当する。
【００６１】
管理装置２００は、例えば、ホームサーバにより構成され、居住空間１０内に設置されている。
【００６２】
ドアフォンモニタ３００は、居住空間１０内に設けられ、表示部３０２、スピーカ３０３、及び操作ボタン３０４等を備える。表示部３０２は、例えば、液晶ディスプレイや有機ＥＬディスプレイ等の表示装置により構成され、呼出ボタン４０１が押下された際にドアフォン４００から出力された映像信号を表示する。これにより、居住空間１０内の居住者は呼出ボタン４０１を押下した人物を視覚的に認識できる。
【００６３】
スピーカ３０３は、ドアフォン４００から出力された呼出信号（押下情報の一例）が入力されると、所定の呼出音（例えばブザー音）を出力し、呼出ボタン４０１が押下されたことを居住空間１０内の人物に報知する。また、スピーカ３０３は、ドアフォン４００から出力された音声信号を音声に変換し、居住空間１０の内部空間に出力する。これにより、居住空間１０内の人物は、呼出ボタン４０１を押下した人物が発した音声を聞くことができる。
【００６４】
操作ボタン３０４は、居住空間１０内の人物が呼出ボタン４０１を押下した人物との通話を開始するためのボタンや、通話を終了するためのボタンを含む。また、ドアフォンモニタ３００は図略のマイクを備える。このマイクは、居住空間１０内の人物がドアフォンモニタ３００ごしに発した音声を収音して音声信号に変換し、ドアフォン４００に出力する。
【００６５】
ドアフォン４００は、居住空間１０の外部に設置されており、呼出ボタン４０１、スピーカ４０２、カメラ４０３、及びマイク４０４等を備える。ドアフォン４００は、例えば、居住空間１０の外壁上のドア２０近傍の所定の位置に設置されれてもよいし、門扉のある一戸建て住宅であれば、門扉の周囲の外壁に設置されてもよい。
【００６６】
呼出ボタン４０１は、居住空間１０を訪問する人物や居住空間１０に帰宅した居住者により押下されるボタンである。呼出ボタン４０１が押下されると、ドアフォン４００は、呼出ボタン４０１が押下されたことを示す呼出信号をドアフォンモニタ３００に出力する。ここで、ドアフォン４００は、呼出ボタン４０１が押下されている期間中、一定の時間間隔で呼出信号をドアフォンモニタ３００を介して管理装置２００に出力する。これにより、管理装置２００はドアフォン４００から出力された呼出信号の受信回数から、呼出ボタン４０１が長押しされたか否かを判別できる。
【００６７】
スピーカ４０２は、居住空間１０内の人物がドアフォンモニタ３００ごしに発した音声を示す音声信号を音声に変換し、外部空間に出力する。マイク４０４は、呼出ボタン４０１を押下した人物がドアフォン４００ごしに発した音声を収音して音声信号に変換し、ドアフォンモニタ３００に出力する。カメラ４０３は、例えば、ＣＣＤやＣＭＯＳのイメージセンサにより構成され、呼出ボタン４０１を押下した人物を所定のフレームレートで撮像し、得られた映像信号をドアフォンモニタ３００に出力する。
【００６８】
施錠部５００は、ドア２０に設けられておりドア２０を施錠する。ドア２０は、人物が居住空間１０に出入りするためのドアである。ドア２０としては、一戸建ての住宅であれば、建物の玄関や勝手口に設けられたドアが該当し、集合住宅であれば、住戸の玄関に設けられたドアが該当する。
【００６９】
図２は、実施の形態１による管理装置２００のハードウェア構成の一例を示すブロック図である。管理装置２００は、ＣＰＵ２０１、ＲＡＭ２０２、ＲＯＭ２０３、ＨＡ（Ｈｏｍｅ  Ａｕｔｏｍａｔｉｏｎ）インターフェース部２０４、ＨＡ（Ｈｏｍｅ  Ａｕｔｏｍａｔｉｏｎ）端子２０５、ＬＡＮインターフェース部２０６、ＬＡＮ端子２０７、無線通信インターフェース部２０８、及び無線通信送受信アンテナ２０９を備える。
【００７０】
ＣＰＵ２０１、ＲＡＭ２０２、ＲＯＭ２０３、ＨＡインターフェース部２０４、ＬＡＮインターフェース部２０６、及び無線通信インターフェース部２０８はＩＯバスを介して相互に接続されている。
【００７１】
ＣＰＵ２０１は、ＲＯＭ２０３に格納されたプログラムを実行し、管理装置２００を統括制御する。ＲＡＭ２０２は、ＣＰＵ２０１の作業領域として用いられる。ＲＯＭ２０３は、ＣＰＵ２０１が実行するプログラムを記憶する。ＨＡ端子２０５は、例えば、ＪＥＭ−Ａ端子が採用される。ＪＥＭ−Ａ端子は、ＪＥＭＡ（日本電気工業会規格）の統一規格に適合したＨＡ端子であり、本実施の形態ではＪＥＭ１４２７が採用される。ＨＡインターフェース部２０４は、例えば、ＪＥＭ−Ａ端子の規格に適合する通信回路により構成される。本実施の形態では、ＨＡインターフェース部２０４及びＨＡ端子２０５は、主に施錠部５００を構成する電気錠と通信する。
【００７２】
ＬＡＮ端子２０７は、例えば、１０００ＢＡＳＥ−Ｔや１００ＢＡＳＥ−ＴＸ等のＬＡＮ端子が採用される。ＬＡＮインターフェース部２０６は、例えば、ＩＥＥＥ８０２．３等の有線ＬＡＮの通信規格に適合する通信回路により構成される。本実施の形態では、ＬＡＮインターフェース部２０６及びＬＡＮ端子２０７は、主に宅内機器１００と通信する。なお、ＬＡＮインターフェース部２０６としては、ＩＥＥ８０２．１１シリーズの無線ＬＡＮの通信規格に適合する通信回路が採用されてもよい。この場合、ＬＡＮ端子２０７としては無線ＬＡＮのアンテナが採用される。
【００７３】
無線通信送受信アンテナ２０９は、例えば、デジタルコードレス電話の通信規格であるＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）に適合したアンテナにより構成される。本実施の形態では、ＤＥＣＴの通信規格としては、例えば、一般社団法人電波産業界の標準規格であるＡＲＩＢ  ＳＴＤ−Ｔ１０１が採用される。無線通信インターフェース部２０８は、例えば、ＤＥＣＴに適合する通信インターフェースにより構成される。本実施の形態では、無線通信インターフェース部２０８及び無線通信送受信アンテナ２０９は、主にドアフォンモニタ３００と通信する。
【００７４】
図３は、実施の形態１による管理装置２００の機能構成の一例を示すブロック図である。管理装置２００は、第１通信部２１０、第２通信部２２０、第３通信部２３０、及び制御部２４０を備える。
【００７５】
第１通信部２１０は、図２に示すＬＡＮインターフェース部２０６及びＬＡＮ端子２０７により構成され、宅内機器１００と通信路Ｌ１を介して接続される。ここで、通信路Ｌ１としては、例えば、有線ＬＡＮ又は無線ＬＡＮの通信路が採用される。そして、第１通信部２１０は、宅内機器１００と通信することにより、宅内機器１００から宅内機器１００のログ情報を取得し、管理装置２００に入力する。ログ情報には、例えば、宅内機器１００が稼働中であることを示す稼働情報が含まれる。
【００７６】
第２通信部２２０は、例えば、図２に示すＨＡインターフェース部２０４及びＨＡ端子２０５により構成され、通信路Ｌ３を介して施錠部５００を構成する電気錠５０１と接続されている。ここで、通信路Ｌ３としては、ＪＥＭ−Ａ端子に対応する通信ケーブルが採用される。そして、第２通信部２２０は、電気錠５０１と通信し、電気錠５０１から出力される施錠情報を取得し、管理装置２００に入力する。ここで、施錠情報は、電気錠５０１がドアを施錠しているか解錠しているかを示す情報である。
【００７７】
第３通信部２３０は、例えば、図２に示す無線通信インターフェース部２０８及び無線通信送受信アンテナ２０９により構成され、通信路Ｌ２を介してドアフォンモニタ３００と接続されている。ここで、通信路Ｌ２は、例えば、ＤＥＣＴの通信規格に適合する無線の通信路が採用される。但し、これは一例にすぎず、管理装置２００及びドアフォンモニタ３００が有線で通信する場合、通信路Ｌ２としては有線の通信路が採用される。そして、第３通信部２３０は、呼出ボタン４０１が押下された際にドアフォン４００から出力される呼出信号をドアフォンモニタ３００を介して取得し、管理装置２００に入力する。
【００７８】
制御部２４０は、例えば、図２に示すＣＰＵ２０１、ＲＡＭ２０２、及びＲＯＭ２０３により構成され、管理装置２００の全体の制御を司る。本実施の形態では、制御部２４０は、第２通信部２２０が入力する施錠情報を用いてドア２０が施錠状態になったか否かを判断する。そして、制御部２４０は、施錠情報を用いてドア２０が施錠状態になってから所定時間Ｔ１以内にドアフォンモニタ３００から呼出信号が入力された場合であって、稼働情報を用いて宅内機器１００がオン状態であると判断した場合、第２通信部２２０を介して電気錠５０１に解錠信号（第１制御信号の一例）を出力する。
【００７９】
具体的には、制御部２４０は、ロック検出部２４１、稼働状況検出部２４２、呼出信号解釈部２４３、及び解錠コマンド発行部２４４を備える。なお、制御部２４０を構成する各ブロックは、ＣＰＵ２０１がＲＯＭ２０３に記憶されたプログラムを実行することで実現される。
【００８０】
ロック検出部２４１は、電気錠５０１のロック状態を定期的に確認し、電気錠５０１が解錠状態から施錠状態になると、所定時間Ｔ１の計時を開始する。そして、ロック検出部２４１は、電気錠５０１のロック状態を確認したときの計時時刻が所定時間Ｔ１の期間内の時刻であれば、ロック検出処理の条件を満たすと判定する。一方、ロック検出部２４１は、電気錠５０１のロック状態を確認したときの計時時刻が所定時間Ｔ１の期間外の時刻であれば、ロック検出処理の条件を満たさないと判定する。ロック検出処理の詳細については後述する。
【００８１】
稼働状況検出部２４２は、ロック検出部２４１によりロック検出処理の条件を満たすと判定された場合、稼働情報を用いて宅内機器１００が稼働中であるか否かを確認し、稼働中であれば、稼働状況検出処理の条件を満たすと判定する。一方、稼働状況検出部２４２は、宅内機器１００が稼働中でなければ、稼働状況検出処理の条件を満たさないと判定する。稼働状況検出処理の詳細については後述する。
【００８２】
呼出信号解釈部２４３は、稼働状況検出部２４２により稼働状況検出処理の条件を満たすと判定された場合、ドアフォン４００から出力された呼出信号を受信すると、呼出信号解釈処理の条件を満たすと判定し、ドアフォン４００から出力された呼出信号を受信しなければ、呼出信号解釈処理の条件を満たさないと判定する。呼出信号解釈処理の詳細については後述する。
【００８３】
解錠コマンド発行部２４４は、呼出信号解釈部２４３により呼出信号解釈処理の条件を満たすと判定された場合、解錠コマンドを発行し、電気錠５０１にドア２０を解錠させる。
【００８４】
施錠部５００は電気錠５０１を備える。電気錠５０１は、図１に示すドア２０に設けられ、ドア２０が閉状態になったことを検知すると、ドア２０を施錠する。つまり、電気錠５０１は、ドア２０が閉状態になると自動的にドア２０を施錠するオートロック機能を持つ電気錠である。
【００８５】
電気錠５０１は、ＪＥＭ−Ａ端子を備え、ＪＥＭ−Ａ端子を介して管理装置２００と通信する。ここで、電気錠５０１は、管理装置２００から定期的に出力されるポーリングを受信すると、施錠状態であるか否かを示す施錠情報を管理装置２００に返す。
【００８６】
ドアフォンモニタ３００は、ＤＥＣＴの通信機能を持つドアフォンモニタにより構成されている。ドアフォンモニタ３００は、録画部３０１を備えている。録画部３０１は、例えば、ハードディスクドライブ等の書き換え可能な不揮発性の記憶装置により構成され、呼出ボタン４０１が押下された際にドアフォン４００のカメラ４０３が撮像した映像信号を記録する。なお、呼出ボタン４０１が押下された際、カメラ４０３は所定の撮像時間だけ撮像する。
【００８７】
ドアフォン４００は、通信路Ｌ４を介してドアフォンモニタ３００と接続されている。通信路Ｌ４は有線であってもよいし、無線であってもよい。ドアフォン４００は、呼出ボタン４０１を備え、呼出ボタン４０１が押下されると、呼出信号をドアフォンモニタ３００を介して管理装置２００に出力する。
【００８８】
次に、実施の形態１による管理システムの動作の概要について説明する。図４は、実施の形態１による管理システムの動作の概要の一例を示すシーケンス図である。
【００８９】
まず、管理装置２００は、電気錠５０１に対してロック中（施錠状態）であるかを確認するためにポーリングを送信する（Ｓ４０１）。なお、ポーリングは、管理装置２００から例えば定期的に送信される。ポーリングを受信した電気錠５０１は、ロック中であれば、「ロック中」であることを示す施錠情報を管理装置２００に送信する（Ｓ４０２）。
【００９０】
「ロック中」の施錠情報を受信した管理装置２００は、電気錠５０１がドア２０をロックしてから所定時間Ｔ１内であると判定すると（Ｓ４０３）、宅内機器１００に確認信号を送信し、宅内機器１００が稼働中であるかを確認する（Ｓ４０４）。確認信号を受信した宅内機器１００は、稼働中であれば、「稼働中」であることを示す稼働情報を管理装置２００に送信する（Ｓ４０５）。所定時間Ｔ１が長すぎると安全性が低くなる一方、所定時間Ｔ１が短すぎると、短期的に外出した居住者であって電子鍵を携帯するのを居住者が短期的な外出を終えて居住空間１０に戻ってきた際に、呼出ボタン４０１を押下する時間が確保できなくなる。そこで、所定時間Ｔ１としては、想定される短期的な外出時間に呼出ボタン４０１を押下する作業を充分に行うことができる時間を加えた時間が採用される。
【００９１】
「稼働中」の稼働情報を受信した管理装置２００は、宅内機器１００が稼働中であるため、居住空間１０の居住者が短期的に外出していると判定し（Ｓ４０６）、呼出信号の入力を待機する。つまり、居住者はある目的地に出掛ける場合、宅内機器１００をオフするのが一般的であるが、居住空間１０から短期的に外出する場合、宅内機器１００をオンしたまま外出する可能性が高い。そこで、本実施の形態では、電気錠５０１が施錠状態になった際、宅内機器１００が稼働中であれば、居住者の外出は短期的な外出であると判定している。
【００９２】
そして、電気錠５０１の電子鍵を携帯するのを忘れて外出した居住者により呼出ボタン４０１が押下されると、ドアフォン４００は呼出信号をドアフォンモニタ３００に送信する（Ｓ４０７）。呼出信号を受信したドアフォンモニタ３００は、受信した呼出信号を管理装置２００に転送する（Ｓ４０８）。
【００９３】
管理装置２００は、呼出信号の受信タイミングがドア２０のロック後、所定時間Ｔ１内であれば、解錠信号を電気錠５０１に送信する（Ｓ４０９）。
【００９４】
次に、実施の形態１による管理装置２００の処理の詳細について説明する。図５は、実施の形態１による管理システムの動作の概要の一例を示すシーケンス図である。まず、ロック検出部２４１はロック検出処理を行う（Ｓ５０１）。ロック検出処理の詳細は後述する。次に、ロック検出部２４１は、ロック検出処理の条件を満たすと判定すると（Ｓ５０２でＹＥＳ）、処理をＳ５０３に進め、ロック検出処理の条件を満たしていないと判定すると（Ｓ５０２でＮＯ）、処理をＳ５０１に戻す。
【００９５】
次に、稼働状況検出部２４２は、稼働状況検出処理を行う（Ｓ５０３）。稼働状況検出処理の詳細は後述する。次に、稼働状況検出部２４２は、稼働状況検出処理の条件を満たすと判定すると（Ｓ５０４でＹＥＳ）、処理をＳ５０５に進め、稼働状況検出処理の条件を満たしていないと判定すると（Ｓ５０４でＮＯ）、処理をＳ５０１に戻す。
【００９６】
次に、呼出信号解釈部２４３は、呼出信号解釈処理を行う（Ｓ５０５）。呼出信号解釈処理の詳細は後述する。次に、呼出信号解釈部２４３は、呼出信号解釈処理の条件を満たすと判定すると（Ｓ５０６でＹＥＳ）、処理をＳ５０７に進め、呼出信号解釈処理の条件を満たしていないと判定すると（Ｓ５０６でＮＯ）、処理をＳ５０１に戻す。次に、解錠コマンド発行部２４４は、解錠コマンド発行処理を行い（Ｓ５０７）、処理をＳ５０１に戻す。
【００９７】
このように、図５の処理では、ロック検出処理、稼働状況検出処理、及び呼出信号解釈処理の３つの処理の条件が満たされた場合、解錠コマンドが発行され、電気錠５０１はドア２０を解錠する。一方、これら３つの処理の条件が１つでも満たされなければ、解錠コマンドは発行されない。
【００９８】
図６は、ロック検出処理の一例を示すフローチャートである。まず、ロック検出部２４１は、電気錠５０１にポーリングを送信して電気錠５０１に施錠情報を送信させ、送信された施錠情報を用いて電気錠５０１の施錠状態を確認する（Ｓ６０１）。
【００９９】
次に、ロック検出部２４１は、施錠情報が「ロック中」を示す場合、電気錠５０１は「ロック中」であると判定し（Ｓ６０２でＹＥＳ）、処理をＳ６０３に進める。一方、ロック検出部２４１は、施錠情報が「ロック中」を示さない場合、電気錠５０１は「解錠中」であると判定し（Ｓ６０２でＮＯ）、処理をＳ６０８に進める。
【０１００】
Ｓ６０３において、ロック検出部２４１は、タイマーＴＭ１が起動中でなければ（Ｓ６０３でＮＯ）、処理をＳ６０４に進め、タイマーＴＭ１が起動中であれば（Ｓ６０３でＹＥＳ）、処理をＳ６０６に進める。
【０１０１】
Ｓ６０４において、ロック検出部２４１は、電気錠５０１がドア２０を解錠状態からロック状態にした後、タイマーＴＭ１による計時が１度も行われていない場合（Ｓ６０４でＮＯ）、タイマーＴＭ１を起動する（Ｓ６０５）。これにより、所定時間Ｔ１の計時が開始される。ここで、タイマーＴＭ１は、所定時間Ｔ１を計時するためのタイマーである。このタイマーＴＭ１は、制御部２４０のプログラムモジュールで構成されてもよいし、ハードウェアで構成されてもよい。
【０１０２】
一方、ロック検出部２４１は、電気錠５０１がドア２０を解錠状態からロック状態にした後、タイマーＴＭ１による計時が１度行われている場合（Ｓ６０４でＹＥＳ）、処理をＳ６１０に進める。ここで、タイマーＴＭ１による計時が１度行われている場合とは、電気錠５０１の解錠情報が「解錠状態」から「ロック中」に変化してからタイマーＴＭ１の計時が開始され、タイマーＴＭ１による所定時間Ｔ１の計時が既に１度行われている場合が該当する。これにより、電気錠５０１がドアを解錠状態から施錠状態にしてから所定時間Ｔ１が経過した後、電気錠５０１から定期的に「ロック中」の解錠情報が送信された場合であっても、タイマーＴＭ１が再度起動されることを防止できる。その結果、電気錠５０１が解錠状態からロック状態になってから所定時間Ｔ１の経過後に呼出ボタン４０１の押下により電気錠５０１が解錠状態になることを防止できる。
【０１０３】
Ｓ６０６において、タイマーＴＭ１が起動した後、タイマーＴＭ１の計時時刻が所定時間Ｔ１以内であれば（Ｓ６０６でＹＥＳ）、ロック検出部２４１は、ロック検出処理の条件を満たすと判定する（Ｓ６０７）。
【０１０４】
一方、タイマーＴＭ１の計時時間が所定時間Ｔ１より大きければ（Ｓ６０６でＮＯ）、ロック検出部２４１は、処理をＳ６０８に進める。Ｓ６０８において、タイマーＴＭ１が起動中であれば（Ｓ６０８でＹＥＳ）、ロック検出部２４１はタイマーＴＭ１を停止させる（Ｓ６０９）。Ｓ６０８において、タイマーＴＭ１が起動中でなければ（Ｓ６０８でＮＯ）、ロック検出部２４１は、ロック検出処理の条件を満たさないと判定する（Ｓ６１０）。これにより、タイマーＴＭ１の起動後、所定時間Ｔ１が経過していれば、ロック検出部２４１は、ロック検出処理の条件を満たさないと判定し、処理を図５に示すＳ５０１に戻す。
【０１０５】
次に、稼働状況検出処理について説明する。図７は稼働状況検出処理の一例を示すフローチャートである。まず、稼働状況検出部２４２は、宅内機器Ｃｉの属性を確認する（Ｓ７０１）。ここで、宅内機器Ｃｉの属性としては、冷蔵庫、照明器具、エアコン、又はテレビといった宅内機器１００の種類を示す情報が採用される。
【０１０６】
稼働状況検出部２４２は、例えば、宅内機器１００の属性が登録された宅内機器リストを予め記憶しており、この宅内機器リストを用いて宅内機器１００の属性を確認する。以下のフローチャートでは、宅内機器リストには冷蔵庫と照明器具とが登録されているものとして説明する。
【０１０７】
そして、稼働状況検出部２４２は、この宅内機器リストにおいて、例えば、登録順に１の宅内機器１００を特定の宅内機器Ｃｉとして特定する。なお、Ｃｉに付されたｉは宅内機器リストに登録された宅内機器１００を特定するためのインデックスである。
【０１０８】
次に、稼働状況検出部２４２は、宅内機器Ｃｉが冷蔵庫であれば（Ｓ７０２でＹＥＳ）、別の宅内機器Ｃｉの属性を確認し（Ｓ７０３）、処理をＳ７０２に戻す。一方、稼働状況検出部２４２は、宅内機器Ｃｉが冷蔵庫でなければ（Ｓ７０２でＮＯ）、宅内機器Ｃｉの稼働状況を確認する（Ｓ７０４）。つまり、稼働状況検出部２４２は、宅内機器Ｃｉが冷蔵庫であれば、宅内機器Ｃｉの稼働状況を確認せずに、照明器具を宅内機器Ｃｉとして特定し、照明器具の稼働状況を確認する。
【０１０９】
ここで、稼働状況検出部２４２が冷蔵庫の稼働状況を確認する処理を行わないのは、冷蔵庫は、居住者が居住空間に滞在しているか否かに拘わらず、常時、オン状態にされて使用されるのが一般的であり、このような宅内機器１００の稼働状況を確認しても居住者の外出の有無を判定できないからである。
【０１１０】
なお、図７のフローチャートでは、冷蔵庫について稼働状況の確認をしないものとしたが、冷蔵庫のように、常時、オン状態にされて使用される宅内機器１００が居住空間１０が宅内機器リストに登録されていれば、このような宅内機器１００も稼働状況の確認対象から省かれてもよい。
【０１１１】
次に、稼働状況検出部２４２は、宅内機器Ｃｉが稼働中であれば（Ｓ７０５でＹＥＳ）、稼働状況検出処理の条件を満たすと判定し（Ｓ７０６）、宅内機器Ｃｉが稼働中でなければ（Ｓ７０５でＮＯ）、稼働状況検出処理の条件を満たさないと判定する（Ｓ７０７）。ここで、稼働状況検出部２４２は、宅内機器Ｃｉに確認信号を送信し、宅内機器Ｃｉから返信される稼働情報が「稼働中」であることを示せば、宅内機器Ｃｉは稼働中であると判定すればよい。一方、稼働状況検出部２４２は、確認情報を送信してから一定期間内に宅内機器Ｃｉから稼働情報が送信されない、或いは、宅内機器Ｃｉから「停止中」であることを示す稼働情報が送信されれば、宅内機器Ｃｉは稼働中でないと判定すればよい。
【０１１２】
このように、稼働状況検出処理では、居住空間１０に設置された冷蔵庫以外の宅内機器１００（ここでは、照明器具）が稼働中であれば稼働状況検出処理の条件を満たすと判定され、冷蔵庫以外の宅内機器１００が稼働中でなければ、稼働状況検出処理の条件を満たさないと判定される。
【０１１３】
次に、呼出信号解釈処理について説明する。図８は呼出信号解釈処理の一例を示すフローチャートである。まず、呼出信号解釈部２４３は、呼出信号を受信すると（Ｓ８０１でＹＥＳ）、呼出信号解釈処理の条件を満たすと判定し（Ｓ８０２）、呼出信号を受信しなければ（Ｓ８０１でＮＯ）、呼出信号解釈処理の条件を満たさないと判定する（Ｓ８０３）。そして、呼出信号解釈部２４３は、呼出信号解釈処理の条件を満たすと判定すると、処理を図５のＳ５０７に進め、解錠コマンド発行部２４４は、解錠コマンドを発行して第２通信部２２０に出力し、第２通信部２２０は、この解錠コマンドを電気錠５０１に出力する。これにより、電気錠５０１は解錠状態となり、電子鍵を携帯し忘れた居住者はドア２０を開けて居住空間１０に入ることができる。
【０１１４】
このように、本実施の形態による管理装置２００は、電気錠５０１がドア２０をロックした際、宅内機器１００が稼働中であれば、居住者は短期的に外出した可能性が高いと判定し、呼出信号の入力を待機する。そして、呼出信号が入力されると、管理装置２００は、解錠信号を出力し、電気錠５０１にドア２０を解錠させる。これにより、居住者が外出する際に電子鍵を携帯するのを忘れた場合であっても、電気錠５０１を解錠して居住空間１０に入ることができる。
【０１１５】
一方、施錠状態にある電気錠５０１を解錠状態にするには、所定時間Ｔ１内に呼出ボタン４０１を押下し、且つ、宅内機器１００が稼働中であるという条件が満たされる必要がる。そのため、この条件を知らない居住者以外の人物が、電気錠５０１を解錠状態にして居住空間１０に侵入することを防止できる。
【０１１６】
（実施の形態２）
図９は実施の形態２による管理装置２００が適用された管理システムの全体構成の一例を示す図である。実施の形態１では、管理装置２００は施錠部５００と直接接続されていた。実施の形態２の管理システムでは、管理装置２００はドアフォンモニタ３００を介して施錠部５００と接続されている。なお、実施の形態２において、実施の形態１と同じものは、同一の符号を付し、説明を省く。
【０１１７】
具体的には、ドアフォンモニタ３００及び施錠部５００は通信路Ｌ５を介して通信可能に接続されている。それ以外の構成は実施の形態１の管理システムと同じである。通信路Ｌ５としては、通信路Ｌ３と同様、ＪＥＭ−Ａ端子に対応する通信ケーブルが採用される。したがって、本実施の形態では、ドアフォンモニタ３００がＪＥＭ−Ａ端子を備え、管理装置２００は、ＪＥＭ−Ａ端子を備えなくてもよい。
【０１１８】
図１０は、実施の形態２による管理装置２００の機能構成の一例を示すブロック図である。本実施の形態では、管理装置２００は、ドアフォンモニタ３００を介して電気錠５０１と接続されているため、図１０に示すように管理装置２００から第３通信部２３０が省かれている。
【０１１９】
なお、本実施の形態では、第２通信部２２０は、実施の形態１の第３通信部２３０と同様、図２に示す無線通信インターフェース部２０８及び無線通信送受信アンテナ２０９により構成され、通信路Ｌ２を介してドアフォンモニタ３００と接続されている。通信路Ｌ２は実施の形態１と同様、ＤＥＣＴによる無線の通信路が採用される。
【０１２０】
ドアフォンモニタ３００は、ＪＥＭ−Ａ端子を備え、通信路Ｌ５を介して施錠部５００の電気錠５０１と接続されている。つまり、本実施の形態では、管理装置２００の第２通信部２２０は、通信路Ｌ２、ドアフォンモニタ３００、及び通信路Ｌ５を介して電気錠５０１と接続されている。なお、ドアフォンモニタ３００及びドアフォン４００は実施の形態１と同様、通信路Ｌ４を介して接続されている。
【０１２１】
本実施の形態では、ドアフォンモニタ３００は、電気錠５０１からＪＥＭ−Ａ端子の通信規格で送信される信号（例えば施錠情報）をＤＥＣＴの通信規格の信号に変換して、第２通信部２２０に転送すればよい。一方、ドアフォンモニタ３００は、第２通信部２２０からＤＥＣＴの通信規格で送信される信号（例えば解錠コマンドやポーリング）をＪＥＭ−Ａ端子の通信規格に適合した信号に変換し、電気錠５０１に転送すればよい。
【０１２２】
なお、図１０では、通信路Ｌ２としてＤＥＣＴによる無線の通信路を採用したが、これは一例であり、ＪＥＭ−Ａ端子に対応する通信ケーブルが採用されてもよい。この場合、第２通信部２２０は、実施の形態１の第２通信部２２０と同様、図２に示すＨＡインターフェース部２０４及びＨＡ端子２０５により構成されればよい。この場合、通信路Ｌ２、Ｌ５としてＪＥＭ−Ａ端子に対応する通信ケーブルが採用されるため、ドアフォンモニタ３００は、第２通信部２２０から送信された信号を、そのまま、電気錠５０１に転送し、電気錠５０１から送信された信号を、そのまま、第２通信部２２０に転送すればよい。
【０１２３】
図１１は、実施の形態２による管理システムの動作の概要の一例を示すシーケンス図である。まず、管理装置２００は、ドアフォンモニタ３００に対してロック中であるかを確認するためのポーリングを送信する（Ｓ１１０１）。ポーリングを受信したドアフォンモニタ３００は、受信したポーリングを電気錠５０１に転送する（Ｓ１１０２）。
【０１２４】
ポーリングを受信した電気錠５０１は、ロック中であれば、「ロック中」であることを示す施錠情報をドアフォンモニタ３００に送信する（Ｓ１１０３）。「ロック中」であることを示す施錠情報を受信したドアフォンモニタ３００は、この施錠情報を管理装置２００に転送する（Ｓ１１０４）。
【０１２５】
Ｓ１１０５〜Ｓ１１１０は図４のＳ４０３〜Ｓ４０８と同じである。Ｓ１１１１において、管理装置２００は、解錠コマンドをドアフォンモニタ３００に送信する。解錠コマンドを受信したドアフォンモニタ３００は、この解錠コマンドをＪＥＭ−Ａ端子の通信規格に適合する解錠信号に変換し、電気錠５０１に送信する（Ｓ１１１２）。
【０１２６】
このように、実施の形態２によれば、管理装置２００がドアフォンモニタ３００を介して電気錠５０１と接続されている態様においても実施の形態１と同じ効果が得られる。
【０１２７】
（実施の形態３）
実施の形態３による管理装置２００は、所定時間Ｔ１以内に呼出ボタン４０１が長押しされたことを条件に、電気錠５０１がドア２０を解錠することを特徴とする。なお、本実施の形態において、管理システムの全体構成図については図１に示される実施の形態１の構成及び図９に示される実施の形態２の構成のいずれの構成が採用されてもよい。その他、本実施の形態において、実施の形態１、２と同一構成は説明を省き、相違点のみ説明する。実施の形態３では、呼出信号解釈処理が実施の形態１、２と相違している。
【０１２８】
図１２は、実施の形態３における呼出信号解釈処理の一例を示すフローチャートである。Ｓ１２０１は図８のＳ８０１と同じである。呼出信号解釈部２４３は、第２通信部２２０により呼出信号が受信されると（Ｓ１２０１でＹＥＳ）、長押有効時間Ｔ２を計時するためのタイマーＴＭ２を起動する（Ｓ１２０２）。ここで、タイマーＴＭ２は、制御部２４０のプログラムモジュールで構成されてもよいし、ハードウェアで構成されてもよい。次に、呼出信号解釈部２４３は、呼出信号の受信回数を示す変数ｃ１の値を１に設定する（Ｓ１２０３）。次に、呼出信号解釈部２４３は、タイマーＴＭ２の起動後、長押有効時間Ｔ２以内であり（Ｓ１２０４でＹＥＳ）、且つ、所定時間Ｔ１以内であれば（Ｓ１２０５でＹＥＳ）、第２通信部２２０により呼出信号が受信されたか否かを判定する（Ｓ１２０６）。なお、Ｓ１２０５の処理が設けられているのは、所定時間Ｔ１の終了間際にタイマーＴＭ２が起動され、所定時間Ｔ１の経過後に変数ｃ１が所定値Ｎ以上と判定されることを防止するためである。
【０１２９】
呼出信号が受信されると（Ｓ１２０６でＹＥＳ）、呼出信号解釈部２４３は、変数ｃ１の値を１増やす（Ｓ１２０７）。一方、第２通信部２２０により呼出信号が受信されない場合（Ｓ１２０６でＮＯ）、呼出信号解釈部２４３は、処理をＳ１２０４に戻す。また、タイマーＴＭ１の計時時刻が所定時間Ｔ１を超えると（Ｓ１２０５でＮＯ）、呼出信号解釈部２４３は、処理をＳ１２１１に進める。
【０１３０】
つまり、呼出信号解釈部２４３は、長押有効時間Ｔ２において、所定時間Ｔ１が経過していなければ、ドアフォン４００から呼出信号が送信される回数をカウントする。ここで、長押有効時間Ｔ２は、所定時間Ｔ１内に呼出ボタン４０１が長押しされたか否かを判定するための時間であるため、所定時間Ｔ１より短い。また、長押有効時間Ｔ２は、呼出ボタン４０１が押下されている時間が所定の長押時間に到達しているか否かを判定するための時間であるため、長押時間よりも長い。
【０１３１】
Ｓ１２０７において、呼出信号解釈部２４３は、変数ｃ１の値が所定値Ｎ以上であるか否かを判定する。変数ｃ１が所定値Ｎ以上であれば（Ｓ１２０８でＹＥＳ）、呼出信号解釈部２４３は、タイマーＴＭ２の計時を停止させ（Ｓ１２０９）、呼出信号解釈処理の条件を満たすと判定する（Ｓ１２１０）。一方、変数ｃ１が所定値Ｎ未満であれば（Ｓ１２０８でＮＯ）、呼出信号解釈部２４３は処理をＳ１２０４に戻す。つまり、呼出信号解釈部２４３は、長押有効時間Ｔ２且つ所定時間Ｔ１以内に呼出信号が所定値Ｎ以上受信されれば、呼出信号解釈処理の条件を満たすと判定する。
【０１３２】
本実施の形態では、呼出ボタン４０１が押下されている期間中、ドアフォン４００は周期的に呼出信号を出力する。そのため、第２通信部２２０による呼出信号の受信回数をカウントすることで、呼出信号解釈部２４３は、呼出ボタン４０１が押下されている時間を判定できる。よって、所定値Ｎとしては、例えば、電気錠５０１を解錠状態にするのに要する呼出ボタン４０１の長押時間を、呼出信号の出力周期で割った値が採用される。
【０１３３】
一方、Ｓ１２０４において、タイマーＴＭ２の計時時刻が長押有効時間Ｔ２を超えていれば（Ｓ１２０４でＮＯ）、呼出信号解釈部２４３は、タイマーＴＭ２を停止させる（Ｓ１２１１）。そして、呼出信号解釈部２４３は、呼出信号解釈処理の条件を満たさないと判定する（Ｓ１２１２）。
【０１３４】
このように、本実施の形態によれば、所定時間Ｔ１以内に呼出ボタン４０１が押下されただけでは電気錠５０１が施錠されず、所定時間Ｔ１以内に呼出ボタン４０１が長押しされなければ電気錠５０１が施錠されない。よって、セキュリティを更に高めることができる。
【０１３５】
（実施の形態４）
実施の形態４は、居住空間１０に稼働状況の確認対象となる宅内機器１００が複数設置されていることを特徴とする。図１３は、実施の形態４による管理装置２００が適用された管理システムの全体構成の一例を示す図である。なお、本実施の形態において、実施の形態１〜３と同じ構成は同一の符号を用いて説明を省略する。ここで、稼働状況の確認対象となる宅内機器１００とは、居住者が居住空間１０から外出した場合、オフ状態にされる可能性の高い宅内機器１００が該当し、常時、稼働にされる冷蔵庫のような宅内機器１００は省かれる。
【０１３６】
図１３の例では居住空間１０にエアコン、照明器具、及びテレビの３つの宅内機器１００が稼働状況の確認対象となる宅内機器１００として設置されている。そして、本実施の形態では、これら複数の宅内機器１００のうち所定数Ｑの宅内機器１００が稼働中であれば、稼働状況検出部２４２は稼働状況を満たすと判定する。なお、図１３の例では、３つの宅内機器１００が稼働状況の確認対象となる宅内機器１００として図示されているが、本実施の形態はこれに限定されず、稼働状況の確認対象となる宅内機器１００は２つ以上であればよい。また、図１３では、宅内機器１００として、エアコン、照明器具、及びテレビが図示されているが、これは一例にすぎず、他の宅内機器（例えば、電子レンジ、洗濯機、及びオーディオ機器等）が採用されてもよいし、他の宅内機器が加えられてもよい。
【０１３７】
エアコン、照明器具、及びテレビの宅内機器１００は、それぞれ、通信路Ｌ１を介して管理装置２００と通信可能に接続されている。複数の通信路Ｌ１のうち、いずれか１つ以上の通信路Ｌ１を有線ＬＡＮの通信路で構成し、残りの通信路Ｌ２を無線ＬＡＮの通信路で構成してもよいし、全ての通信路Ｌ１を有線又は無線ＬＡＮの通信路で構成してもよい。
【０１３８】
図１３の例では、図１と同様、管理装置２００は通信路Ｌ３を介して施錠部５００と接続されているがこれに限定されない。例えば、図９に示すように、管理装置２００は、ドアフォンモニタ３００を介して施錠部５００と接続されてもよい。
【０１３９】
図１４は、実施の形態４による管理装置２００の機能構成の一例を示すブロック図である。図１４の例では、第１通信部２１０には４つの宅内機器１００が通信路Ｌ１を介して通信可能に接続されている。また、図１４の例では、４つの宅内機器１００のうち、３つの宅内機器１００は図１３に示すエアコン、照明器具、及びテレビであり、残り１つの宅内機器１００は冷蔵庫であるとする。なお、図１４に示す管理装置２００は、４つの宅内機器１００が接続されている点及び稼働状況検出部２４２に代えて稼働状況検出部２４２ａが設けられている点以外は、図３に示す管理装置２００と同一である。
【０１４０】
稼働状況検出部２４２ａは、ロック検出部２４１によりロック検出処理の条件を満たすと判定された場合、冷蔵庫以外の複数の宅内機器１００のうち、所定数Ｑの宅内機器１００が稼働中であれば、稼働状況検出処理の条件を満たすと判定し、冷蔵庫以外の複数の宅内機器１００のうち、稼働中の宅内機器１００が所定数Ｑ未満であれば、稼働状況検出処理の条件を満たさないと判定する。
【０１４１】
本実施の形態では、稼働状況検出処理が実施の形態１〜３と相違する。図１５は、実施の形態４における稼働状況検出処理の一例を示すフローチャートである。まず、稼働状況検出部２４２ａは、稼働中の宅内機器１００の数を示す変数ｃ２を０に設定する（Ｓ１５０１）。
【０１４２】
次に、稼働状況検出部２４２ａは、稼働状況を確認していない宅内機器Ｃｉがあれば（Ｓ１５０２でＹＥＳ）、処理をＳ１５０３に進める。ここで、稼働状況検出部２４２ａは、居住空間１０内に設置された複数の宅内機器が予め登録された宅内機器リストを予め記憶している。そして、稼働状況検出部２４２ａは、この宅内機器リストにおいて、例えば登録順に１の宅内機器１００を宅内機器Ｃｉとして特定すればよい。
【０１４３】
Ｓ１５０３において、稼働状況検出部２４２ａは、宅内機器Ｃｉが冷蔵庫であれば（Ｓ１５０３でＹＥＳ）、処理をＳ１５０２に戻し、宅内機器Ｃｉが冷蔵庫でなければ（Ｓ１５０３でＮＯ）、処理をＳ１５０４に進める。
【０１４４】
Ｓ１５０４において、稼働状況検出部２４２ａは、宅内機器Ｃｉの稼働状況を確認する。そして、稼働状況検出部２４２ａは、宅内機器Ｃｉが稼働中であれば（Ｓ１５０５でＹＥＳ）、変数ｃ２を１増やす（Ｓ１２０６）。一方、稼働状況検出部２４２ａは、宅内機器Ｃｉが稼働中でなければ（Ｓ１５０５でＮＯ）、処理をＳ１５０２に戻す。
【０１４５】
Ｓ１５０７において、稼働状況検出部２４２ａは、変数ｃ２の値が所定数Ｑに達した場合（Ｓ１５０７でＹＥＳ）、稼働状況検出処理の条件を満たすと判定する（Ｓ１５０８）。一方、稼働状況検出部２４２ａは、変数ｃ２の値が所定数Ｑ未満の場合（Ｓ１５０７でＮＯ）、処理をＳ１５０２に戻す。ここで、冷蔵庫以外の複数の宅内機器１００のうち少なくとも１つの宅内機器１００が稼働中であれば、稼働状況検出処理の条件を満たすとする態様を採用する場合、所定数Ｑとして１が採用される。また、冷蔵庫以外の複数の宅内機器１００のうち２つ以上のある値の宅内機器１００が稼働中であれば、稼働状況検出処理の条件を満たすとする態様を採用する場合、所定数として２以上のある値が採用される。
【０１４６】
Ｓ１５０２において、稼働状況検出部２４２ａは、全ての宅内機器Ｃｉの稼働状況を確認していれば（Ｓ１５０２でＮＯ）、稼働状況検出処理の条件を満たさないと判定する（Ｓ１５０９）。
【０１４７】
このように、図１５に示す稼働状況検出処理では、冷蔵庫以外の複数の宅内機器１００の稼働状況を順次確認していき、稼働中の宅内機器１００の個数が所定数Ｑに到達すると、稼働状況検出処理の条件を満たすと判定される。一方、稼働中の宅内機器１００の個数が所定数Ｑに到達するまでに、冷蔵庫以外の全ての宅内機器１００の稼働状況を確認する処理が終了されると、稼働状況検出処理の条件を満たさないと判定される。
【０１４８】
テレビ、エアコン、照明器具のような宅内機器１００は、居住者が在宅中の場合、必ずオン状態にされるとは限らない。例えば、居住者が日中に在宅している場合、照明器具はオフ状態にされることもある。また、テレビは在宅中の居住者により常時オンされるわけではない。また、春や秋等の季節においてエアコンは在宅中の居住者に使用されないこともある。この場合、居住空間１０に設置されたいずれか１の宅内機器１００のうち、いずれか１の宅内機器１００に注目し、その１の宅内機器１００のみの稼働状況を確認しても、居住者が在宅中であるか否かを正確に判別できない。
【０１４９】
そこで、実施の形態４では、居住空間１０に設置された冷蔵庫以外の複数の宅内機器１００のうち、稼働中の宅内機器１００の数が所定数Ｑであれば、稼働状況検出処理の条件を満たすと判定されている。その結果、居住者がが在宅中であるか否かを正確に推定できる。
【０１５０】
（実施の形態５）
実施の形態５による管理装置２００は、所定時間Ｔ１の期間中に呼出ボタン４０１が長押しされた場合、解錠警告コマンドを発行し、防犯ライト（外部照明器具の一例）を点灯させることを特徴とする。図１６は、実施の形態５による管理装置２００が適用された管理システムの全体構成の一例を示す図である。なお、本実施の形態において、実施の形態１〜４と同じ構成は、同一の符号を付し、説明を省く。
【０１５１】
図１６に示すように、本実施の形態では、管理装置２００は、通信路Ｌ６を介して防犯ライト６００と接続されている。通信路Ｌ６は、通信路Ｌ１と同様、ＬＡＮの通信路が採用されている。ＬＡＮの通信路としては、有線及び無線のいずれが採用されてもよい。
【０１５２】
なお、図１６では、管理装置２００は、図１と同様、施錠部５００と直接接続されている。但し、これは一例にすぎず、管理装置２００は、図９と同様、ドアフォンモニタ３００を介して施錠部５００と接続されてもよい。
【０１５３】
防犯ライト６００は、例えば、居住空間１０の外壁上であって、ドアフォン４００が照射可能な位置（例えば、玄関の周囲の外壁の位置）に設置されている。なお、居住空間１０が門扉付きの一戸建ての住宅であれば、防犯ライト６００は、門扉の周囲の外壁に取り付けられてもよい。
【０１５４】
図１７は、実施の形態５による管理装置２００の機能構成の一例を示すブロック図である。図１２に示す管理装置２００は、第１通信部２１０に防犯ライト６００が接続されている点及び呼出信号解釈部２４３に代えて呼出信号解釈部２４３ａが設けられている点以外は、図３に示す管理装置２００と同一である。
【０１５５】
呼出信号解釈部２４３ａは、解錠警告コマンド発行部２４３１を備えている。解錠警告コマンド発行部２４３１は、呼出ボタン４０１が長押しされ、ドアフォン４００からの呼出信号の出力回数が所定値Ｍに到達した場合、解錠警告コマンド（第２制御信号の一例）を防犯ライト６００に出力する。防犯ライト６００は解錠警告コマンドを受信すると点灯し、ドアフォン４００付近を照明する。これにより、呼出ボタン４０１を長押した居住者に対して、電気錠５０１が解錠されることを事前に報知できる。また、居住者以外の人物は呼出ボタン４０１の長押しにより防犯ライト６００が点灯されることを知らないため、防犯ライト６００の点灯によりこの人物を警戒させ、この人物が呼出ボタン４０１の長押して電気錠５０１を解錠することを防止できる。なお、防犯ライト６００の点灯時間は、呼出ボタン４０１を押下した人物を警戒させることが可能な予め定められた時間が採用される。
【０１５６】
図１８は、実施の形態５の変形例による管理装置２００の機能構成の一例を示すブロック図である。変形例による管理装置２００は、所定時間Ｔ１の期間中に呼出ボタン４０１が長押しされた場合、解錠警告コマンドを発行し、ドアフォン４００からブザー音を出力させることを特徴とする。そのため、図１８に示す管理装置２００は、第１通信部２１０に防犯ライト６００が接続されていない。
【０１５７】
図１８において、呼出信号解釈部２４３ｂは、解錠警告コマンド発行部２４３２を備えている。解錠警告コマンド発行部２４３２は、ドアフォン４００からの呼出信号の出力回数が所定値Ｍに到達した場合、解錠警告コマンド（第３制御信号の一例）を発行し、第３通信部２３０を介してドアフォンモニタ３００に出力する。
【０１５８】
ドアフォンモニタ３００は、録画部３０１に加えてメモリ３０１１を備えている。メモリ３０１１は、例えば、不揮発性の記憶装置により構成され、ブザー音の音声データを記憶する。ドアフォンモニタ３００は、管理装置２００から解錠警告コマンドを受信すると、メモリ３０１１に記憶された音声データをドアフォン４００に出力し、ドアフォン４００のスピーカからブザー音を出力させる。これにより、呼出ボタン４０１を長押した居住者に対して、電気錠５０１が解錠されることを事前に報知できる。また、居住者以外の人物は呼出ボタン４０１の長押しによりブザー音が出力されることを知らないため、ブザー音によりこの人物を警戒させ、この人物が呼出ボタン４０１を長押して電気錠５０１を解錠することを防止できる。
【０１５９】
図１９は、実施の形態５による呼出信号解釈処理の一例を示すフローチャートである。なお、以下の説明では、図１７に示すように管理装置２００には防犯ライト６００が接続されているものとする。Ｓ１９０１〜Ｓ１９０７の処理は、図１２に示すＳ１２０１〜Ｓ１２０７の処理と同じである。
【０１６０】
Ｓ１９０８において、呼出信号の受信回数を示す変数ｃ１が所定値Ｍ以上になると（Ｓ１９０８でＹＥＳ）、解錠警告コマンド発行部２４３１は、解錠警告コマンドを発行する（Ｓ１９０９）。これにより、防犯ライト６００は点灯し、ドアフォン４００付近を照明する。ここで、所定値Ｍは、所定値Ｎより小さい値が採用される。そのため、電気錠５０１が解錠されるまでに防犯ライト６００が点灯され、居住者以外の人物が呼出ボタン４０１の長押しにより電気錠５０１を解錠することを抑制できる。一方、変数ｃ１が所定値Ｍ未満であれば（Ｓ１９０８でＮＯ）、解錠警告コマンド発行部２４３１は、処理をＳ１９０４に戻す。
【０１６１】
Ｓ１９１０〜Ｓ１９１２の処理は、図１２に示すＳ１２０８〜Ｓ１２１０の処理と同じである。また、Ｓ１９１３、Ｓ１９１４の処理も図１２に示すＳ１２１１、Ｓ１２１２の処理と同じである。
【０１６２】
このように、図１９に示す呼出信号解釈処理では、所定時間Ｔ１の期間中に呼出ボタン４０１が長押しされ、変数ｃ１が所定値Ｍに到達すると、解錠警告コマンドが発行され、更に、呼出ボタン４０１の長押しが継続され、変数ｃ１が所定値Ｎに到達すると、呼出信号解釈処理の条件を満たすと判定される。
【０１６３】
なお、図１９に示す呼出信号解釈処理では、管理装置２００は図１７に示す防犯ライト６００を備える管理システムに適用されたが、図１８に示す管理システムに適用された場合も同様に成り立つ。この場合、Ｓ１９０９において、図１８に示す解錠警告コマンド発行部２４３２が解錠警告コマンドを発行し、ドアフォン４００からブザー音を出力させる。
【０１６４】
（実施の形態６）
実施の形態６による管理装置２００は、所定時間Ｔ１を計時するタイマーＴＭ１の計時時刻が所定時間Ｔ３（＜Ｔ１）に到達すると締出し警告コマンド（第４制御信号の一例）を発行し、防犯ライト６００を点灯させることを特徴とする。図２０は、実施の形態６による管理装置２００の機能構成の一例を示すブロック図である。
【０１６５】
図２０に示す管理装置２００は、図３に示す管理装置２００において、第１通信部２１０に防犯ライト６００が接続された点及びロック検出部２４１に代えてロック検出部２４１ａが設けられている点以外は図３に示す管理装置２００と同じである。
【０１６６】
ロック検出部２４１ａは、締出し警告コマンド発行部２４１１を備える。締出し警告コマンド発行部２４１１は、タイマーＴＭ１の計時時刻が所定時間Ｔ３に到達すると、締出し警告コマンドを発行し、第１通信部２１０を介して防犯ライト６００に出力する。これにより、もうすぐすると電気錠５０１が解錠されることを居住者に報知できる。
【０１６７】
図２１は、実施の形態６によるロック検出処理の一例を示すフローチャートである。Ｓ２１０１〜Ｓ２１０５の処理は図６に示すＳ６０１〜６０５の処理と同じである。Ｓ２１０６において、タイマーＴＭ１の計時時刻が所定時間Ｔ３を超えると（Ｓ２１０６でＮＯ）、締出し警告コマンド発行部２４１１は、締出し警告コマンドを発行する（Ｓ２１０８）。これにより、防犯ライト６００が点灯する。一方、タイマーＴＭ１の計時時刻が所定時間Ｔ３以内であれば（Ｓ２１０６でＹＥＳ）、ロック検出部２４１ａは、ロック検出処理の条件を満たすと判定する（Ｓ２１０７）。ここで、所定時間Ｔ３としては、例えば、所定時間Ｔ１よりも短い期間が採用される。例えば、所定時間Ｔ３から所定時間Ｔ１が経過するまでの期間において、防犯ライト６００が点灯したことを呼出ボタン４０１を押下した人物に充分に認識させることができる時間が所定時間Ｔ３として採用される。
【０１６８】
また、防犯ライト６００は、例えば、タイマーＴＭ１の計時時刻が所定時間Ｔ１に到達したときに消灯すればよい。
【０１６９】
Ｓ２１０９において、ロック検出部２４１ａは、タイマーＴＭ１の計時時刻が所定時間Ｔ１以内であれば（Ｓ２１０９でＹＥＳ）、ロック検出処理の条件を満たすと判定する（Ｓ２１０７）。
【０１７０】
一方、タイマーＴＭ１の計時時刻が所定時間Ｔ１を超えると（Ｓ２１０９でＮＯ）、ロック検出部２４１ａは、処理をＳ２１１０に進める。Ｓ２１１０〜Ｓ２１１２の処理は、図６のＳ６０８〜Ｓ６１０と同じである。
【０１７１】
なお、実施の形態６では、タイマーＴＭ１の計時時刻が所定時間Ｔ３になったときに防犯ライト６００を点灯させたが、これに代えて又は加えて、ドアフォン４００からブザー音を出力させる態様を採用してもよい。
【０１７２】
（実施の形態７）
実施の形態７による管理装置２００は、オートロック機能を持たない電気錠５０１ａ（図２２参照）と接続されていることを特徴とする。図２２は、実施の形態７による管理装置２００が適用された管理システムの全体構成の一例を示す図である。図２２に示す管理システムは、宅内機器１００、管理装置２００、ドア開閉センサー７００、及び施錠部５００を備えている。管理装置２００は、図１と同様、通信路Ｌ１を介して宅内機器１００と接続され、通信路Ｌ３を介して施錠部５００と接続されている。また、管理装置２００は、通信路Ｌ７を介してドア開閉センサー７００と接続されている。
【０１７３】
ドア開閉センサー７００はドア２０の開閉を検知するセンサーである。ドア開閉センサー７００は、例えば、フォトインタラプタにより構成され、ドア２０の取り付け枠２１の内側面２１ａに取り付けられている。フォトインタラプタは、例えば、ドア２０が閉じられると受光部が遮光され、ドア２０が開けられると受光部の遮光が解除され、ドア２０の開閉を検知する。なお、ドア開閉センサー７００はフォトインタラプタに限定されず、ドア２０が閉じるとオンし、ドアが開くとオフする機械的なスイッチが採用されてもよい。
【０１７４】
通信路Ｌ７は、例えば、通信路Ｌ１と同様、ＬＡＮの通信路が採用される。但し、これは一例であり、ドア開閉センサー７００がＪＥＭ−Ａ端子を持つものであれば、ＪＥＭ−Ａ端子に対応する通信ケーブルが採用されてもよい。
【０１７５】
図２３は、実施の形態７による管理装置２００の機能構成の一例を示すブロック図である。図２３に示す管理装置２００は、図３に示す管理装置２００において、制御部２４０に代えて制御部２５０が設けられており、第３通信部２３０が省かれている。第３通信部２３０が省かれているのは、管理装置２００がドアフォンモニタ３００と通信する必要がなくなったからである。
【０１７６】
電気錠５０１ａは、管理装置２００の第２通信部２２０から送信された施錠信号を受信するとドア２０を施錠する。
【０１７７】
ドア開閉センサー７００は、ドア２０の開閉を検知し、ドア２０が開いている場合は、ドア２０が「開状態」であることを示す開閉情報を第１通信部２１０に出力し、ドア２０が開状態から閉状態になったことを検知すると、ドア２０が「開状態から閉状態になった」ことを示す開閉情報を第１通信部２１０に出力する。
【０１７８】
制御部２５０は、開閉検出部２５１、稼働状況検出部２５２、及び施錠コマンド発行部２５３を備える。開閉検出部２５１は、第１通信部２１０がドア開閉センサー７００から「開状態」であることを示す開閉情報を受信した場合、ドア２０が開状態であると判定する。一方、開閉検出部２５１は、第１通信部２１０がドア開閉センサー７００から「開状態から閉状態になった」ことを示す開閉情報を受信した場合、ドア２０が開状態から閉状態になったと判定する。
【０１７９】
稼働状況検出部２５２は、開閉検出部２５１によりドア２０が開状態から閉状態になったと判定されると、稼働情報を用いて宅内機器１００が稼働中であるか否かを確認し、宅内機器１００が稼働中であれば、稼働状況検出処理の条件を満たすと判定する。一方、稼働状況検出部２５２は、宅内機器１００が稼働中でなければ、稼働状況検出処理の条件を満たさないと判定する。
【０１８０】
施錠コマンド発行部２５３は、稼働状況検出部２５２により稼働条件検出処理の条件を満たすと判定された場合、施錠コマンド（制御信号の一例）を発行し、施錠コマンドを含む施錠信号を第２通信部２２０を介して電気錠５０１ａに出力する。これにより、電気錠５０１ａはドア２０を施錠する。
【０１８１】
図２４は、実施の形態７による管理システムの動作の概要の一例を示すシーケンス図である。まず、ドア開閉センサー７００は、ドア２０が開状態になったことを検知すると、「開状態」であることを示す開閉情報を管理装置２００に送信する（Ｓ２４０１）。ドア開閉センサー７００は、ドア２０が開状態から閉状態になとことを検知すると、「開状態から閉状態になった」ことを示す開閉情報を管理装置２００に送信する（Ｓ２４０２）。
【０１８２】
「開状態から閉状態になった」ことを示す開閉情報を受信すると、管理装置２００は、宅内機器１００に確認信号を送信し、宅内機器１００が稼働中であるか否かを確認する（Ｓ２４０２）。確認信号を受信した宅内機器１００は、「稼働中」であることを示す稼働情報を管理装置２００に送信する（Ｓ２４０３）。
【０１８３】
「稼働中」の稼働情報を受信した管理装置２００は、宅内機器１００が稼働中であるため、居住空間１０の居住者が短期的に外出していると判定し（Ｓ２４０４）、一定時間Ｔ５待つ（Ｓ２４０５）。一定時間Ｔ５が経過すると管理装置２００は施錠信号を電気錠５０１ａに出力する（Ｓ２４０６）。一定時間Ｔ５が長すぎると安全性が低下する一方、一定時間Ｔ５が短すぎると電子鍵を携帯し忘れて外出した居住者が居住空間１０に入ることができなくなってしまう。そこで、一定時間Ｔ５としては、安全性の低下をある程度抑制できる範囲内において、最大の時間が採用される。
【０１８４】
図２５は、実施の形態７による管理装置２００のメインルーチンの一例を示すフローチャートである。まず、開閉検出部２５１は、ドア開閉センサー７００が「開状態から閉状態になった」ことを示す開閉情報を出力したかを確認する（Ｓ２５０１）。そして、ドア２０が「開状態から閉状態になった」ことを示す開閉情報が第１通信部２１０により受信され、開閉検出部２５１がドア２０が開状態から閉状態になったと判定すると（Ｓ２５０２でＹＥＳ）、稼働状況検出部２５２は、稼働状況検出処理を実行する（Ｓ２５０３）。ここで、稼働状況検出処理としては、例えば、図７に示す処理が採用される。なお、冷蔵庫以外に稼働状況の確認対象となる宅内機器１００が複数存在する場合、稼働状況検出処理としては、図１５に示す処理が採用されてもよい。
【０１８５】
次に、稼働状況の検出処理の条件を満たすと判定された場合（Ｓ２５０４でＹＥＳ）、施錠コマンド発行部２５３は一定時間Ｔ５が経過するのを待ち（Ｓ２５０５）、施錠コマンド発行部２５３は、施錠コマンドを発行し（Ｓ２５０６）、処理をＳ２５０１に戻す。
【０１８６】
一方、稼働状況検出処理の条件を満たさないと判定された場合（Ｓ２５０４でＮＯ）、施錠コマンド発行部２５３は、一定時間Ｔ５が経過するのを待つことなく、施錠コマンドを発行し（Ｓ２５０６）、処理をＳ２５０１に戻す。
【０１８７】
このように、本実施の形態による管理装置２００は、ドア２０が開状態から閉状態になったことがドア開閉センサー７００により検知されると、宅内機器１００が稼働中であれば、居住者は短期的に外出した可能性が高いと判定し、一定時間Ｔ５が経過するのを待つ。そして、一定時間Ｔ５が経過すると管理装置２００は、施錠信号を電気錠５０１ａに出力し、電気錠５０１ａにドア２０を施錠させる。そのため、居住者が電気錠５０１ａを携帯するのを忘れて外出した場合であっても、ドア２０を閉じてから一定時間Ｔ５以内であれば居住者は居住空間１０内に入ることができる。
【０１８８】
一方、ドア２０が閉状態にされた際、宅内機器１００が稼働中でなければ、直ぐに電気錠５０１ａはドア２０を施錠する。そのため、ドア２０が閉状態にされた場合、常に一定時間が経過するのを待ってから電気錠５０１ａにドア２０を施錠させる構成を採用する場合に比べ、防犯効果を高めることができる。
【０１８９】
なお、実施の形態１〜７では、管理装置２００は住宅に適用されたが、オフィスに適用されてもよい。オフィスの場合、１のオフィスに割り当てられたビル内の部屋において社員が出入りするドアに電気錠５０１、５０１ａやドアフォン４００を設け、オフィス内に管理装置２００を設ければよい。
【産業上の利用可能性】
【０１９０】
本開示は、ホームサーバなどの管理装置を用いて居住空間のセキュリティを管理する分野において有用である。
【符号の説明】
【０１９１】
１０  居住空間
２０  ドア
１００  宅内機器
２００  管理装置
２１０  第１通信部
２２０  第２通信部
２３０  第３通信部
２４０  制御部
２４１、２４１ａ  ロック検出部
２４２、２４２ａ  稼働状況検出部
２４３、２４３ａ、２４３ｂ  呼出信号解釈部
２４４  解錠コマンド発行部
２５０  制御部
２５１  開閉検出部
２５２  稼働状況検出部
２５３  施錠コマンド発行部
３００  ドアフォンモニタ
３０１  録画部
４００  ドアフォン
４０１  呼出ボタン
５００  施錠部
５０１、５０１ａ  電気錠
６００  防犯ライト
７００  ドア開閉センサー
２４１１  警告コマンド発行部
２４３１、２４３２  解錠警告コマンド発行部
３０１１  メモリ 
【図１】
2015065631.tif 000003
【図２】
2015065631.tif 000004
【図３】
2015065631.tif 000005
【図４】
2015065631.tif 000006
【図５】
2015065631.tif 000007
【図６】
2015065631.tif 000008
【図７】
2015065631.tif 000009
【図８】
2015065631.tif 000010
【図９】
2015065631.tif 000011
【図１０】
2015065631.tif 000012
【図１１】
2015065631.tif 000013
【図１２】
2015065631.tif 000014
【図１３】
2015065631.tif 000015
【図１４】
2015065631.tif 000016
【図１５】
2015065631.tif 000017
【図１６】
2015065631.tif 000018
【図１７】
2015065631.tif 000019
【図１８】
2015065631.tif 000020
【図１９】
2015065631.tif 000021
【図２０】
2015065631.tif 000022
【図２１】
2015065631.tif 000023
【図２２】
2015065631.tif 000024
【図２３】
2015065631.tif 000025
【図２４】
2015065631.tif 000026
【図２５】
2015065631.tif 000027